(57)【要約】【課題】引戸と折れ戸を組み合わせた構造の引折れ戸を、一般住宅にも見栄えを落とさないで設置可能にする。【解決手段】扉を閉鎖状態に自動的にロックしたり閉鎖状態のロックを自動的に解除したり、扉Ｄの開閉動作を案内するガイド手段Ｇは、ガイド突起３０を弾発付勢して連結部材Ｃの上端に進退自在に埋設し先端の頭部４５が突出した状態で把持し、ガイド突起３０は、引戸Ｂと折れ戸Ａが平面状に整列した扉Ｄの閉鎖状態にあるとき、走行ガイドＬに係合する頭部４５に、走行ガイドＬに突き当てて扉Ｄの閉鎖状態をロックする平面状の回動規制面４５ａを形成する一方、それ以外を該回動規制面４５ａに向かうに従い次第に高さの高くなるテーパ面４５ｂで形成する。【選択図】          図１
2016113859.tif 000002
【特許請求の範囲】
【請求項１】
第１戸体と第２戸体を連結部材で折畳み可能に連結した折り戸を、戸先側の引戸に回動可能に連結し、戸尻側の前記第１戸体を吊元側ヒンジを介して吊元側竪枠部に回動自在に連結する一方、前記引戸の戸先側に搭載した走行体を、通路開口の上枠部に固定した走行ガイドに係合して扉全体を釣支し、前記引戸が開閉方向に走行すると、回動する前記第２戸体に連動してガイド手段が働いて前記折り戸を屈曲させながら前記引戸を直線移動して通路開口を開閉する引折れ戸であって、
前記ガイド手段は、ガイド突起を弾発付勢して前記連結部材の上端に進退自在に埋設し先端の頭部が突出した状態で把持し、前記ガイド突起は、前記引戸と前記折れ戸が平面状に整列した扉の閉鎖状態にあるとき、前記走行ガイドに係合する前記頭部に、前記走行ガイドに突き当てて扉の閉鎖状態をロックする平面状の回動規制面を形成する一方、それ以外を該回動規制面に向かうに従い次第に高さの高くなるテーパ面で形成することを特徴とする、請求項１に記載の引折れ戸。
【発明の詳細な説明】
【技術分野】
【０００１】
本発明は、折れ戸と引戸を組み合わせた扉全体を、折り戸部分を転回させながら引戸部分と共にスライドして開閉する、身障者や要介護者にとっても使い勝手のよい引折れ戸に関する。
【背景技術】
【０００２】
この種の引折れ戸は、戸袋を必要としないから、一般住宅でもトイレや風呂場などの狭間なスペースに設置するのに好適な扉である。
【０００３】
従来の引折れ戸は、例えば図１９および図２０に示すように、２枚の戸体ｂ１・ｂ２を連結部材ｃで折り畳み自在に連結した折り戸ｂを、横幅の短い戸先側の引戸ａに回動可能に連結し、その引戸ａに搭載の戸車を通路開口の上枠ｄに固定した走行ガイドｇに係合して扉全体を釣支し、引戸ａを開閉方向に押し引き操作すると、連結部材ｃの回転に連動する駆動機構ｅにより折り戸ｂの戸体ｂ１・ｂ２を屈曲方向に転回させながら引戸ａを直線移動して通路開口を開閉する構造になっている（特許文献１参照）。
【先行技術文献】
【特許文献】
【０００４】
【特許文献１】特開２００４−３２４１５５号公報
【発明の概要】
【発明が解決しようとする課題】
【０００５】
従来の引折れ戸において、連結部材にｃは、上枠ｄに係合して折れ戸ｂが引戸ａと平面状に整列した閉鎖状態にロックするフックｆを備え、扉閉鎖時に、フックｆが室外側に突出し、上枠ｄの前面にあけた係合孔ｉに係合して折り戸ｂを引戸ａと平面状に整列する閉鎖状態にロックする。駆動機構ｅは、折り戸ｂの吊元側戸体ｂ１上に固定した補助板１に対し水平回転可能に蹴り出しレバー２を装着し、扉開放時に、図２１（Ａ）に示すように、引戸ａを引いて吊元側ヒンジｈに向け直進させると、同図（Ｂ）に示すように、連結部材ｃが回動してフックｆが係合孔ｉから外れると共に蹴り出しレバー２が上枠ｄに向け室外側に水平回転し、先端のローラ３を介して上枠ｄを押しながら、同図（Ｃ）に示すように折り戸ｂを室内側に屈曲し、戸体ｂ１・ｂ２が折り重なって通路開口を全開する。
【０００６】
しかし、従来の引折れ戸は、天井側の上枠ｄと扉の間から、可動な連結部材ｃのフックｆや駆動機構ｅの蹴り出しレバー２が覗いて見えるために見栄えが悪く、そのため、幕板のような目隠し用カバーを取り付けて覆い隠そうにも、比較的手狭な一般住宅には、目隠し用カバーを設置するほどのスペースが見当たらず、設置できたとしても、目隠しカバー自体が目立ちすぎて、却って、見栄えを悪くするという課題があった。
【０００７】
そこで、本発明の目的は、引戸と折れ戸を組み合わせた構造の引折れ戸を、一般住宅にも見栄えを落とさず簡単に設置可能にすることにある。
【課題を解決するための手段】
【０００８】
そこで、請求項１に記載の発明は、たとえば以下に示す図示実施の形態のとおり、第１戸体１０と第２戸体１１を連結部材Ｃで折畳み可能に連結した折り戸Ａを、戸先側の引戸Ｂに回動可能に連結し、戸尻側の前記第１戸体１０を吊元側ヒンジ１６を介して吊元側竪枠部１２ａに回動自在に連結する一方、前記引戸Ｂの戸先側に搭載した走行体を、通路開口Ｓの上枠部１２ｂに固定した走行ガイドＬに係合して扉全体を釣支し、前記引戸Ｂが開閉方向ｘに走行すると、回動する前記第２戸体１１に連動してガイド手段Ｇが働いて前記折り戸Ａを屈曲させながら前記引戸Ｂを直線移動して通路開口Ｓを開閉する引折れ戸であって、前記ガイド手段Ｇは、ガイド突起３０を弾発付勢して前記連結部材Ｃの上端に進退自在に埋設し先端の頭部４５が突出した状態で把持し、前記ガイド突起３０は、前記引戸Ｂと前記折れ戸Ａが平面状に整列した扉Ｄの閉鎖状態にあるとき、前記走行ガイドＬに係合する前記頭部４５に、前記走行ガイドＬに突き当てて扉Ｄの閉鎖状態をロックする平面状の回動規制面４５ａを形成する一方、それ以外を該回動規制面４５ａに向かうに従い次第に高さの高くなるテーパ面４５ｂで形成することを特徴とする。
【発明の効果】
【０００９】
請求項１に記載の発明によれば、引折れ戸において、扉を閉鎖状態に自動的にロックしたり閉鎖状態のロックを自動的に解除したり、扉の開閉動作を案内するガイド手段は、折れ戸の第１戸体と第２戸体を折畳み可能に連結する連結部材の上端にガイド突起を弾発付勢して進退自在に埋設し、そのガイド突起の頭部を走行ガイドに係脱させる簡略な構成にすることにより、従来のように天井側の上枠部と扉の間から、可動な連結部材のフックや駆動機構の長尺な蹴り出しレバー等が覗いて見えることがなく、従って、幕板のような目隠し用カバーを取り付けて覆い隠す必要がないために、そんな目隠し用カバー等を設置するスペースも不要だから、その結果、引戸と折れ戸を組み合わせた構造の引折れ戸を、一般住宅にも見栄えを落とすことなく簡単に設置することができる。
【図面の簡単な説明】
【００１０】
【図１】本発明の一例である引折れ戸を全閉状態において示す平面図
【図２】図１中線Ｘ−Ｘ断面図
【図３】引折れ戸を全閉状態において示す斜視図
【図４】引折れ戸を走行ガイドを省略した全閉状態において示す斜視図
【図５】引折れ戸を走行ガイドを省略した全閉状態において示す平面図
【図６】ガイド手段を示す分解斜視図
【図７】ガイド手段を示す（Ａ）正面図（Ｂ）平面図（Ｃ）背面図
【図８】ガイド突起が（Ａ）突出状態のガイド手段を示す斜視図（Ｂ）押下げ状態のガイド手段を示す斜視図
【図９】ガイド手段を拡大して示す引折れ戸の部分拡大断面図
【図１０】引折れ戸を、折れ戸が屈曲して開き始めた状態において示す平面図
【図１１】ガイド手段の扉開き始め動作を説明する部分拡大断面図
【図１２】ガイド突起が走行ガイドから外れた状態を説明する部分拡大断面図
【図１３】連結部材が回動して折れ戸が折れ曲がり始める状態を説明する斜視図（１）
【図１４】連結部材が回動して折れ戸が折れ曲がり始める状態を説明する斜視図（２）
【図１５】引折れ戸を走行ガイドを省略して全開状態において示す斜視図
【図１６】引折れ戸を走行ガイドを省略した全開状態において示す平面図
【図１７】他例のガイド突起が（Ａ）突出状態のガイド手段を示す斜視図（Ｂ）押下げ状態のガイド手段を示す斜視図
【図１８】他例のガイド手段を示す（Ａ）正面図（Ｂ）平面図（Ｃ）背面図
【図１９】従来の引折れ戸の全体構造を示す斜視図
【図２０】従来の引折れ戸の要部を拡大して示す分解斜視図
【図２１】従来の引折れ戸の動作説明図
【発明を実施するための形態】
【００１１】
以下、図面を参照しつつ、本発明の実施形態について説明する。
【００１２】
図１〜図５に、本発明の一例である引折れ戸を全閉状態において示す。図示例の引折れ戸の扉Ｄは、第１戸体１０と第２戸体１１を連結部材Ｃで折畳み可能に連結した折り戸Ａを、戸先側の引戸Ｂにジョイント部材Ｊで回動可能に連結し、戸尻側の第１戸体１０を壁体Ｗの吊元側竪枠部１２ａに回動自在に連結する一方、引戸Ｂの戸先側に搭載した走行体の戸車１３を、上枠部１２ｂに固定した走行ガイドＬに係合して扉Ｄ全体を釣支し、引戸Ｂが開閉方向ｘに走行すると、回動する第２戸体１１に連動してガイド手段Ｇが働いて折り戸Ａを屈曲させながら引戸Ｂを直進し、壁体Ｗにあけた通路開口を開閉する構造になっている。
【００１３】
走行ガイドＬは、図２中下面の長さ方向にガイド溝１４を切った長尺な箱形ケース状をなし、ガイド溝１４の両側に戸車１３を係合する走行路１５をレール状に形成し、壁体Ｗの上枠部１２ｂに正面向きに固定する。扉Ｄを壁体Ｗに吊り込む場合は、予め戸車ユニット２２を走行ガイドＬ内に戸車１３を係合させて走行路１５に装架する。
【００１４】
扉Ｄは、２枚の幅広なそれぞれパネル状の第１戸体１０と第２戸体１１からなる開閉方向ｘ戸尻側の折り戸Ａと、横幅が短い戸先側のパネル状の引戸Ｂとを備える。
【００１５】
折り戸Ａにおいて、戸尻側の第１戸体１０は、上下の吊元側ヒンジ１６を介して壁体Ｗの吊元側竪枠部１２ａに回動自在に支持する。戸尻側の第１戸体１０には、上端面１０ａの戸尻側に枢軸１７を立設し、枢軸１７を、アングル板の連結アーム１８の片側アーム部に穴を通して嵌合し、連結アーム１８に回動可能に連結する。他側アーム部は上枠部１２ｂの戸尻側端部に固着し、第１戸体１０を、枢軸１７を支点として回動可能に壁体Ｗに取り付けて吊持する。
【００１６】
戸先側の第２戸体１１は、この戸尻側の第１戸体１０と連結部材Ｃで相対的に回動可能に連結する。第１戸板１０の上下端面の戸先側と、第２戸板１１の上下端面の戸尻側には、それぞれ取付板１９・２０を固定する。取付板１９・２０は、それぞれ先端に連結凸部１９ａ・２０ａを突設している。一方の第１戸体１０に取り付ける取付板１９には、連結凸部１９ａの外側縁を曲げてストッパ片１９ｂを設けてなる。
【００１７】
連結部材Ｃは、互いの木口が向い合う戸板１０・１１間に配設し、その間の遮蔽機能も併有したシール材２１を備える。シール材２１は、弾性を有する素材の、例えば樹脂製で戸板１０・１１間の隙間に合わせて縦長に形成し、断面楕円状をなす中心のボス部２１ａと、戸板１０・１１の木口に合わせて断面コ形をなす両端の嵌め込み部２１ｂと、嵌め込み部２１ｂとボス部２１ａ間をつなぐ薄板状の屈曲部２１ｃとからなる。ボス部２１ａの上端面には、ガイド手段Ｇを挿設する細長い円筒状のガイド穴５０を穿設する。
【００１８】
そこで、連結部材Ｃは、このシール材２１において、両端の嵌め込み部２１ｂ・２１ｂをそれぞれ戸板１０・１１の木口に嵌着し、ボス部２１ａ近くで取付板１９・２０の連結凸部１９ａ・２０ａにねじ止めし、第１戸体１０と第２戸体１１を両戸板の遮蔽状態で、屈曲部２１ｃで屈曲自在に連結することにより相対的に回動可能に連結する。
【００１９】
引戸Ｂは、第２戸体１１とジョイント部材Ｊを介して相対的に回動可能に連結する。第２戸板１１の上下端面の戸先側と引戸Ｂの上下端面の戸尻側には、それぞれ取付板２４・２５を固定する。取付板２４・２５は、それぞれ互いに向き合う先端側が三角形状に形成している。
【００２０】
ジョイント部材Ｊは、互いの木口が向い合う第２戸板１１と引戸Ｂ間に配設し、両戸板間の遮蔽機能も併有したシール材２６を備える。シール材２６は、弾性を有する素材の、例えば樹脂製で戸板１１と引戸Ｂ間の隙間に合わせ縦長に形成し、厚肉なボス部２６ａと、第２戸板１１と引戸Ｂの木口に合わせて断面コ形をなす両端の嵌め込み部２６ｂと、嵌め込み部２６ｂとボス部２６ａ間をつなぐ薄板状の屈曲部２６ｃとからなる。そこで、ジョイント部材Ｊは、このシール材２６において、その両端の嵌め込み部２６ｂをそれぞれ第２戸板１１と引戸Ｂの木口に嵌着し、ボス部２６ａ近くで向い合う取付板２４・２５の三角状先端部にねじ止めし、第２戸体１１と引戸Ｂを両戸間の遮蔽状態で、屈曲部２６ｃで屈曲自在に連結することにより相対的に回動可能に連結する。
【００２１】
引戸Ｂは、上端面２７の戸先側に戸車ユニット２２を搭載し、走行体の戸車１３を走行ガイドＬのガイド溝１４に係合して釣支し、開閉方向ｘに押し引き操作すると、回動する第２戸体１１に連動してガイド手段Ｇが働いて折り戸Ｂを屈曲させながら直線移動する。
【００２２】
ガイド手段Ｇは、図６および図７に示すように、ガイド突起３０と、ガイド突起３０を把持する軸筒３５と、ガイド突起３０を弾発付勢する圧縮コイルばねの付勢ばね４０を備える。
【００２３】
ガイド突起３０は、金属製で細長い円柱状をなし、円柱部３０ａの先端を、走行ガイドＬのガイド溝１４に係合する頭部４５とし、基端にばね装着軸３１の丸軸部３１ａを挿入する軸穴３２を設ける。頭部４５には、平面状の回動規制面４５ａを形成する一方、それ以外を回動規制面４５ｂに向かうに従い次第に高さの高くなるテーパ面４５ｂを形成してなる。
【００２４】
軸筒３５は、いずれも樹脂製の軸筒本体３３と軸筒本体３３に嵌め込む回り止め筒３４とからなる。軸筒本体３３は、円筒形状なすが、先端側内周に回り止め筒３４の外形に合わせて八角形状の嵌め込み穴３６を形成した段付き穴からなる。嵌め込み穴３６の開口縁３６ａ寄り外周面には、出入口４８の両側の対称な位置において、長さ方向に位置決めリブ３７を凸設する。嵌め込み穴３６の開口縁３６ａには、位置決めリブ３７の位置に合わせて一対の嵌め込み凹部３８を凹設する。回り止め筒３４は、外周を八角形の回り止め形状にすると共に、内周面をガイド突起３０の頭部４５の外形に合わせて断面Ｄ形の回転規制穴３９を形成し、先端側開口の突出口４９に、その開口を間に対称な位置において径方向外向きに位置決め凸部４１を突設している。ばね装着軸３１には、角軸部３１ｂに付勢ばね４０を巻装する一方、角軸部３１ｂのガイド突起３０の軸穴３２に挿入してガイド突起３０の組立体６０を組み立てる。
【００２５】
一方、軸筒本体３３には、内周が八角形状の嵌め込み穴３６に外周が同じ八角形状の回り止め筒３４を嵌合し、位置決め凸部４１を嵌め込み凹部３８に嵌め付ける。すると、ガイド手段Ｇは、図６、図７および図８に示すように、内周の回転規制穴３９の向きと同じ回り止め形状のガイド突起３０の頭部４５の向きを合わせて、ガイド突起３０の組立体６０を軸筒本体３３内に嵌装する。即ち、ガイド突起３０の組立体６０は、図９に示すように、ばね装着軸３１を出入口４８から軸筒本体３３内に挿入し、角軸部３１ｂを底穴４３から突出させる一方、付勢ばね４０を環状鍔部３１ｄと軸筒本体３３の底部間で挟持した状態で嵌装し、角軸部３１ｂのピン穴３１ｃに止めピン４２を差し込んで抜け止めする。以って、ガイド手段Ｇは、ガイド突起３０を付勢ばね４０で弾発付勢し、頭部４５が突出口４９から突出した状態で進退自在に軸筒３５で把持して組み立てなる。
【００２６】
図示ガイド手段Ｇは、折り戸Ａの連結部材Ｃに備えるシール材２１の上端面に予め穿設したガイド穴５０に挿設する。ガイド穴５０は、軸筒３５の軸筒本体３３の外形に合わせて穿設し、折り戸Ａの第１戸体１０と第２戸体１１と引戸Ｂを平面状に整列した扉Ｄの閉鎖状態にあるとき、扉Ｄと平行な向きに軸筒本体３３の外周面に凸設した位置決めリブ３７に合わせてガイド穴５０の内壁面に一対の位置決め凹部５５を凹設する。そこで、ガイド手段Ｇは、位置決めリブ３７を位置決め凹部５５に合わせてガイド穴５０内に進退自在に挿設し、ガイド突起３０をガイド穴５０内で弾発付勢して頭部４５が突出口４９から突出した状態で把持する。
【００２７】
図示引折れ戸の扉Ｄは、図１〜図５に示すように、折り戸Ａの第１戸体１０と第２戸体１１と引戸Ｂとを平面状に整列させることにより通路開口を閉鎖する。そこで、図示引折れ戸の扉Ｄは、折れ戸Ａと引戸Ｂが平面状に整列した扉の閉鎖状態にあるときに、ガイド手段Ｇは、図９に示すように、突出状態にあるガイド突起３０の頭部４５を走行ガイドＬのガイド溝１４に係合すると、閉鎖状態の扉Ｄと平行な向きにある平面状の回動規制面４５がガイド溝１４の溝縁に突き当って扉Ｄの閉鎖状態に自動的にロックすることができる。
【００２８】
そこで、図示引折れ戸の扉Ｄにおいて、閉鎖状態にある扉Ｄを開けるときは、引戸Ｂを戸尻側へ押し引き操作する。すると、折り戸Ａは、第２戸板１１が引戸Ｂに押されて第１戸体１０に近づくから、戸体１０・１１間の連結部材Ｃも連動してシール材２１を屈曲部２１ｃで屈曲しながら、図１０に示すように時計方向に水平回動する。そのとき、ガイド手段Ｇは、連結部材Ｃのガイド穴５０にガイド突起３０を弾発付勢して進退自在に挿設し、ガイド突起３０の頭部４５が回動規制面４５ａ以外は回動規制面４５ａに向かうに従い次第に高さの高くなるテーパ面４５ｂになっているから、連結部材Ｃが回動して頭部４５の向きが変わると、回動規制面４５ａに代わりテーパ面４５ｂが走行ガイドＬのガイド溝１４の溝縁に突き当たる。すると、ガイド突起３０は、図１１に示すように、付勢ばね４０に抗して頭部４５を沈み込ませながら、図１２に示すように、走行ガイドＬの下を潜って走行ガイドＬから外れて、扉Ｄの閉鎖状態のロックが自動的に解除することができる。
【００２９】
従って、引戸Ｂをそのまま戸尻側へ直線移動させると、図１３に示すように、第１戸板１０も押されて間の連結部材Ｃをシール材２１の屈曲部２１ｃで屈曲させながら、吊元側ヒンジ１６を介して図１４中反時計方向に回動して折り戸Ａがくの字に折れ曲がり、最終的に、図１５および図１６に示すように、第２戸体１１が第１戸体１０に折り重なるようにして通路開口Ｓを全開させることができる。
【００３０】
他方、開放状態にある引折れ戸の扉Ｄを閉めるときは、引戸Ｂを戸先側に押し引き操作すると、折り戸Ａの第１戸体１０が吊元側ヒンジ１６の枢軸１７を支点として回動すると同時に、連結部材Ｃがシール材２１を屈曲部２１ｃで屈曲しながら回動して折り戸Ａが折り畳み状態から徐々に展開し、引戸Ｂをそのまま戸尻側へ直線移動させると、戸先側の第２戸体１１もジョイント部材２６を介して反対向きに回動して折り戸Ａがくの字の折れ曲がり状態を経て、最終的に折り戸Ａの第１戸体１０と第２戸体１１と引戸Ｂとが平面状に整列して通路開口Ｓを閉鎖することができる。
【００３１】
そのとき、ガイド手段Ｇは、扉Ｄの閉鎖時は、折り戸Ａが第１戸体１０と第２戸体１１と引戸Ｂとが平面状に整列した状態にあって、ガイド突起３０の頭部４５が扉Ｄの開放時と逆向きにテーパ面４５ｂが走行ガイドＬに突き当たるが、ガイド突起３０は、付勢ばね４０に抗して頭部４５を沈み込ませながら、走行ガイドＬの下を潜ってガイド溝１４に係合すると、閉鎖状態の扉Ｄと平行な向きにある平面状の回動規制面４５がガイド溝１４の溝縁に突き当って扉Ｄの閉鎖状態に自動的にロックすることができる。
【００３２】
以上の図示実施の形態では、ガイド手段Ｇは、ガイド突起３０の頭部４５を、円錐形の一面を平面状にカットして回動規制面４５ａとし、残る他面を回動規制面４５ａに向かうに従い次第に高さの高くなるテーパ面４５ｂとする。しかし、本発明では、そのような断面Ｄ形の回り止め形状の場合に限られない。例えば図１６、図１７および図１８に示すように、四角錐形の一面を平面にカットして回動規制面４５ａとし、残る他面を回動規制面４５ａに向かうに従い次第に高さの高くなるテーパ面４５ｂで形成することもできる。
【符号の説明】
【００３３】
Ａ                折れ戸
Ｂ                引戸
Ｃ                連結部材
Ｄ                扉（引折れ戸）
Ｇ                ガイド手段
Ｌ                走行ガイド
１０              第１戸体
１１              第２戸体
１３              戸車（走行体）
３０              ガイド突起
４０              付勢ばね
４５              頭部
４５ａ            回動規制面
４５ｂ            テーパ面
５０              ガイド穴
【図１】
2016113859.tif 000003
【図２】
2016113859.tif 000004
【図３】
2016113859.tif 000005
【図４】
2016113859.tif 000006
【図５】
2016113859.tif 000007
【図６】
2016113859.tif 000008
【図７】
2016113859.tif 000009
【図８】
2016113859.tif 000010
【図９】
2016113859.tif 000011
【図１０】
2016113859.tif 000012
【図１１】
2016113859.tif 000013
【図１２】
2016113859.tif 000014
【図１３】
2016113859.tif 000015
【図１４】
2016113859.tif 000016
【図１５】
2016113859.tif 000017
【図１６】
2016113859.tif 000018
【図１７】
2016113859.tif 000019
【図１８】
2016113859.tif 000020
【図１９】
2016113859.tif 000021
【図２０】
2016113859.tif 000022
【図２１】
2016113859.tif 000023
【手続補正書】
【提出日】平成28年1月25日(2016.1.25)
【手続補正１】
【補正対象書類名】特許請求の範囲
【補正対象項目名】請求項１
【補正方法】変更
【補正の内容】
【請求項１】
第１戸体と第２戸体を連結部材で折畳み可能に連結した折り戸を、戸先側の引戸に回動可能に連結し、戸尻側の前記第１戸体を吊元側ヒンジを介して吊元側竪枠部に回動自在に連結する一方、通路開口の上枠部に固定し開閉方向にガイド溝を切った長尺な走行ガイドに、前記引戸の戸先側に搭載した走行体を、前記ガイド溝の両側において係合して扉全体を釣支し、前記引戸が開閉方向に走行すると、回動する前記第２戸体に連動してガイド手段が働いて前記折り戸を屈曲させながら前記引戸を直線移動して通路開口を開閉する引折れ戸であって、
前記ガイド手段は、ガイド突起を弾発付勢して前記連結部材の上端に進退自在に埋設し先端の頭部が突出した状態で把持し、前記ガイド突起は、前記引戸と前記折れ戸が平面状に整列した扉の閉鎖状態にあるとき、突出状態にある前記走行ガイドの前記ガイド溝に係合する前記頭部に、前記走行ガイドに突き当てて扉の閉鎖状態をロックする平面状の回動規制面を形成する一方、それ以外を該回動規制面に向かうに従い次第に高さの高くなるテーパ面で形成することを特徴とする、請求項１に記載の引折れ戸。
【手続補正２】
【補正対象書類名】明細書
【補正対象項目名】０００８
【補正方法】変更
【補正の内容】
【０００８】
本発明の目的を達成すべく、請求項１に記載の発明は、たとえば以下に示す図示実施の形態のとおり、そこで、請求項１に記載の発明は、たとえば以下に示す図示実施の形態のとおり、第１戸体１０と第２戸体１１を連結部材Ｃで折畳み可能に連結した折り戸Ａを、戸先側の引戸Ｂに回動可能に連結し、戸尻側の前記第１戸体１０を吊元側ヒンジ１６を介して吊元側竪枠部１２ａに回動自在に連結する一方、通路開口Ｓの上枠部１２ｂに固定し開閉方向にガイド溝１４を切った長尺な走行ガイドＬに、前記引Ｂ戸の戸先側に搭載した戸車１３のような走行体を、前記ガイド溝１４の両側において係合して扉全体を釣支し、前記引戸Ｂが開閉方向ｘに走行すると、回動する前記第２戸体１１に連動してガイド手段Ｇが働いて前記折り戸Ａを屈曲させながら前記引戸Ｂを直線移動して通路開口Ｓを開閉する引折れ戸であって、前記ガイド手段Ｇは、ガイド突起３０を弾発付勢して前記連結部材Ｃの上端に進退自在に埋設し先端の頭部４５が突出した状態で把持し、前記ガイド突起３０は、前記引戸Ｂと前記折れ戸Ａが平面状に整列した扉Ｄの閉鎖状態にあるとき、突出状態にある前記走行ガイドＬの前記ガイド溝１４に係合する前記頭部４５に、前記走行ガイドＬに突き当てて扉Ｄの閉鎖状態をロックする平面状の回動規制面４５ａを形成する一方、それ以外を該回動規制面４５ａに向かうに従い次第に高さの高くなるテーパ面４５ｂで形成することを特徴とする。
【手続補正３】
【補正対象書類名】明細書
【補正対象項目名】００２３
【補正方法】変更
【補正の内容】
【００２３】
ガイド突起３０は、金属製で細長い円柱状をなし、円柱部３０ａの先端を、走行ガイドＬのガイド溝１４に係合する頭部４５とし、基端にばね装着軸３１の丸軸部３１ａを挿入する軸穴３２を設ける。頭部４５には、平面状の回動規制面４５ａを形成する一方、それ以外を回動規制面４５ａに向かうに従い次第に高さの高くなるテーパ面４５ｂを形成してなる。
【手続補正４】
【補正対象書類名】明細書
【補正対象項目名】００３１
【補正方法】変更
【補正の内容】
【００３１】
そのとき、ガイド手段Ｇは、扉Ｄの閉鎖時は、折り戸Ａが第１戸体１０と第２戸体１１と引戸Ｂとが平面状に整列した状態にあって、ガイド突起３０の頭部４５が扉Ｄの開放時と逆向きにテーパ面４５ｂが走行ガイドＬに突き当たるが、ガイド突起３０は、付勢ばね４０に抗して頭部４５を沈み込ませながら、走行ガイドＬの下を潜ってガイド溝１４に係合すると、閉鎖状態の扉Ｄと平行な向きにある平面状の回動規制面４５ａがガイド溝１４の溝縁に突き当って扉Ｄの閉鎖状態に自動的にロックすることができる。